(57)【要約】【課題】ハウジングに取り付けられたカバーが外れ難く、かつ、小型化が図られたヒューズユニットを提供する。【解決手段】ハウジング１２とカバー１３とを有するヒューズユニット１において、カバー１３が、板状のカバー本体１３１と係止部１３２と、を有し、ハウジング１２には係止部１３２の進入路１２４が設けられ、係止部１３２が係止する被係止部１２３が設けられ、係止部１３２は、互いに間を開けて設けられて各々が弾性を有する複数のアーム部分１３２ａと、それぞれの先端に複数のアーム部分の長さ方向と交差する突出方向に向いて突出して設けられた返し部分１３２ａ−１と、を有し、被係止部１２３は、前記突出方向とは逆方向に複数のアーム部分１３２ａを撓ませて係止部１３２を受け入れつつ、係止完了時には複数のアーム部分１３２ａが復位して返し部分１３２ａ−１が係止するものであることを特徴とする。【選択図】図５
2017004650.tif 000002
【特許請求の範囲】
【請求項１】
可溶体と、前記可溶体を収容するとともに、前記可溶体が視認可能な開口が設けられたハウジングと、前記開口を塞ぐカバーと、を有するヒューズユニットにおいて、
前記カバーが、板状のカバー本体と、該カバー本体から、該カバー本体と交差する方向に突出した係止部と、を有し、
前記ハウジングには、前記係止部が進入する進入路が設けられ、
前記進入路に進入した前記係止部が係止して前記ハウジングに前記カバーを固定する被係止部が設けられ、
前記係止部は、互いに間を開けて設けられて各々が弾性を有する複数のアーム部分と、該複数のアーム部分それぞれの先端に該複数のアーム部分の長さ方向と交差する突出方向に向いて突出して設けられた返し部分と、を有し、
前記被係止部は、前記突出方向とは逆方向に前記複数のアーム部分を撓ませて前記係止部を受け入れつつ、係止完了時には前記複数のアーム部分が復位して前記返し部分が係止するものであることを特徴とするヒューズユニット。
【請求項２】
前記返し部分は、前記複数のアーム部分それぞれの先端に外側に向いて設けられており、
前記被係止部は、前記複数のアーム部分の相互の間隔を狭めるように前記複数のアーム部分を撓ませて前記係止部を受け入れることを特徴とする請求項１に記載のヒューズユニット。
【請求項３】
前記ハウジングには、前記可溶体を収容する収容室が一方側の前記開口から貫通して他方側にも開口が形成されており、
２枚の前記カバーを前記係止部が設けられた面が対向するように配置したときに互いに重ならない位置に前記係止部が設けられており、
２枚の前記カバーが、前記収容室の前記２つの開口それぞれを塞ぐように前記ハウジングに取り付けられ、
２枚の前記カバーのうち一方のカバーが前記収容室における一方側の開口を塞ぎ、他方のカバーが他方側の開口を塞ぐことを特徴とする請求項１又は２に記載のヒューズユニット。
【請求項４】
前記被係止部が、２枚の前記カバーそれぞれに設けられ、
前記進入路が、前記ハウジングを貫通して設けられており、
前記一方のカバーにおける前記係止部が、前記進入路を抜けるとともに、前記他方のカバーにおける前記被係止部に係止し、
前記他方のカバーにおける前記係止部が、前記進入路を抜けるとともに、前記一方のカバーにおける前記被係止部に係止することを特徴とする請求項３に記載のヒューズユニット。
【請求項５】
前記被係止部が、前記進入路の内部に設けられていることを特徴とする請求項１〜３のうち何れか一項に記載のヒューズユニット。
【発明の詳細な説明】
【技術分野】
【０００１】
本発明は、ヒューズユニットに関する。
【背景技術】
【０００２】
従来、例えば車両に搭載されるバッテリの電力を、可溶体を介して車両内の回路に供給するヒューズユニットが知られている（例えば、特許文献１参照）。このようなヒューズユニットでは、閾値を越えた電流が流れたときの溶断が視認可能なように可溶体がハウジングに収容されている。図１２には、従来のヒューズユニットの一例が、分解斜視図で示されており、図１３には、図１２に示されているヒューズユニットの斜視図が示されている。
【０００３】
図１２及び図１３に示されているヒューズユニット５では、６つの可溶体５１が並列して板状のハウジング５２に収容されている。ハウジング５２には、可溶体５１を１つずつ内部に、開口から視認可能に収容する収容室５２１が、６つ並列して設けられている。これら６つの収容室５２１の開口は、可溶体５１が溶断した際の金属の飛散防止等のために帯板状のカバー５３で塞がれている。カバー５３は、板状のハウジング５２を間に挟むように２枚設けられている。カバー５３は透明性を有する樹脂で形成されており、各収容室５１の内部の可溶体５１の溶断はこのカバー５３越しに視認される。
【０００４】
カバー５３の両端には、このカバー５３をハウジング５２に固定するための一対の係止部５３１が設けられている。また、ハウジング５２の側壁５２２には、カバー５３の係止部５３１が係止する被係止部５２３が設けられている。係止部５３１は、カバー５３の側縁から突出したリング状の突起であり、被係止部５２３は、カバー５３がハウジング５２にかぶせられた際に係止部５３１の孔に嵌入するように側壁５２２から突出した突起である。図１４には、図１２及び図１３に示されているカバーにおける係止部がハウジングにおける被係止部に係止した様子が、図１３中のＶ５−Ｖ５断面図で示されている。
【０００５】
図１４に示されているように、ハウジング５２にカバー５３が被せられると、係止部５３１は、被係止部５２３にその先端が当接することで、樹脂の柔軟性により開き方向Ｄ５１に開く。やがて、被係止部５２３が係止部５２３の孔に嵌入すると、係止部５３１が復位して被係止部５２３に係止する。カバー５３は、このようにしてハウジング５２に取り付けられる。
【先行技術文献】
【特許文献】
【０００６】
【特許文献１】特開２０１０−１９９０２４号公報
【発明の概要】
【発明が解決しようとする課題】
【０００７】
ここで、図１２〜図１４に示されているヒューズユニット５では、カバー５３をハウジング５２に固定するための係止部５３１及び被係止部５２３が外部に露出している。このため、外力が加わったときに係止部５３１が被係止部５２３から外れ易く、即ち、外力によってカバー５３がハウジング５２から外れ易くなる恐れがある。
【０００８】
また、図１２〜図１４に示されているヒューズユニット５では、カバー５３のハウジング５２への取付けのために、上記のように係止部５３１が開くための余分なスペースが必要となり、その外形寸法が大きくなりがちである。一方、近年では、車両の省スペース化が進み、上記のようなヒューズユニットを設置するための空間的な余裕が減りつつあり、ヒューズユニットはなるべく小型である方が望ましい。
【０００９】
従って、本発明は、上記のような問題点に着目し、ハウジングに取り付けられたカバーが外れ難く、かつ、小型化が図られたヒューズユニットを提供することを目的とする。
【課題を解決するための手段】
【００１０】
上記課題を解決するために、請求項１に記載の発明は、可溶体と、前記可溶体を収容するとともに、前記可溶体が視認可能な開口が設けられたハウジングと、前記開口を塞ぐカバーと、を有するヒューズユニットにおいて、前記カバーが、板状のカバー本体と、該カバー本体から、該カバー本体と交差する方向に突出した係止部と、を有し、前記ハウジングには、前記係止部が進入する進入路が設けられ、前記進入路に進入した前記係止部が係止して前記ハウジングに前記カバーを固定する被係止部が設けられ、前記係止部は、互いに間を開けて設けられて各々が弾性を有する複数のアーム部分と、該複数のアーム部分それぞれの先端に該複数のアーム部分の長さ方向と交差する突出方向に向いて突出して設けられた返し部分と、を有し、前記被係止部は、前記突出方向とは逆方向に前記複数のアーム部分を撓ませて前記係止部を受け入れつつ、係止完了時には前記複数のアーム部分が復位して前記返し部分が係止するものであることを特徴とするヒューズユニットとなっている。
【００１１】
請求項２に記載の発明は、請求項１に記載のヒューズユニットにおいて、前記返し部分は、前記複数のアーム部分それぞれの先端に外側に向いて設けられており、前記被係止部は、前記複数のアーム部分の相互の間隔を狭めるように前記複数のアーム部分を撓ませて前記係止部を受け入れることを特徴とする。
【００１２】
また、請求項３に記載の発明は、請求項１又は２に記載のヒューズユニットにおいて、前記ハウジングには、前記可溶体を収容する収容室が一方側の前記開口から貫通して他方側にも開口が形成されており、２枚の前記カバーを前記係止部が設けられた面が対向するように配置したときに互いに重ならない位置に前記係止部が設けられており、２枚の前記カバーが、前記収容室の前記２つの開口それぞれを塞ぐように前記ハウジングに取り付けられ、２枚の前記カバーのうち一方のカバーが前記収容室における一方側の開口を塞ぎ、他方のカバーが他方側の開口を塞ぐことを特徴とする。
【００１３】
また、請求項４に記載の発明は、請求項３に記載のヒューズユニットにおいて、前記被係止部が、２枚の前記カバーそれぞれに設けられ、前記進入路が、前記ハウジングを貫通して設けられており、前記一方のカバーにおける前記係止部が、前記進入路を抜けるとともに、前記他方のカバーにおける前記被係止部に係止し、前記他方のカバーにおける前記係止部が、前記進入路を抜けるとともに、前記一方のカバーにおける前記被係止部に係止することを特徴とする。
【００１４】
また、請求項５に記載の発明は、請求項１〜３のうち何れか一項に記載のヒューズユニットにおいて、前記被係止部が、前記進入路の内部に設けられていることを特徴とする。
【発明の効果】
【００１５】
請求項１に記載の発明によれば、ハウジングの開口を塞ぐカバーに設けられた係止部は、ハウジングの進入路に進入して被係止部に係止する。そして、被係止部は、係止部がアーム部分を撓ませて係止部を受け入れつつ、係止完了時にはアーム部分が復位して先端の返し部分が係止するように構成されている。係止部がハウジングの進入路に進入して被係止部に受け入れられることから、係止部の外部への露出が抑えられて外力の影響を受け難くなっている。このため、請求項１に記載の発明によれば、カバーが外れ難くなっている。また、カバー取付けの際には、係止部は、複数のアーム部分の突出方向とは逆方向に複数のアーム部分が撓んで被係止部に受け入れられる。このように、係止部は、例えば図１２〜図１４に示されている係止部５３１のように取付けの際の係止部５３１の変形を逃がすための余分なスペースを要することがない。従って、請求項１に記載の発明によれば、小型化が図られたヒューズユニットを得ることができる。
【００１６】
また、請求項２に記載の発明によれば、被係止部は、複数のアーム部分の相互の間隔を狭めるように係止部を受け入れることから、一層小型化が図られたヒューズユニットを得ることができる。
【００１７】
また、請求項３に記載の発明によれば、２枚のカバーを係止部が設けられた面が対向するように配置したときに互いに重ならない位置に係止部が設けられている。このため、例えば、２枚のカバーとして同形状の２枚のカバーを採用し、互いに裏返しの位置関係で配置しても、係止部どうしの干渉等が回避される。従って、請求項３に記載の発明によれば、このように同形状の２つのカバーを採用して製造コストの低減を図ることができる。
【００１８】
また、請求項４に記載の発明によれば、カバーに、そのカバーに対向配置されるもう一枚のカバーの係止部のための被係止部が設けられている。これにより、複雑な構造となりがちなハウジングの構造の簡単化を図ることで製造コストを一層低減することができる。
【００１９】
また、請求項５に記載の発明によれば、係止部の被係止部が、ハウジングの進入路の内部に設けられている。これにより、係止部がハウジング内にほぼ隠されることとなり、一層外力の影響を受け難くなる。つまり、請求項５に記載の発明によれば、カバーを一層外れ難くすることができる。
【図面の簡単な説明】
【００２０】
【図１】本発明の第１実施形態のヒューズユニットを示す斜視図である。
【図２】図１に示されているカバーを示す三面図である。
【図３】図１に示されている係止部が係止する被係止部を、係止部が進入する進入路を通る図１中のＶ１１−Ｖ１１断面で示す図である。
【図４】図１においてハウジングからカバーが外された状態で示さていたヒューズユニットを、カバーが取り付けられた状態で示す図である。
【図５】図４に示されている係止部の係止箇所を、図４中のＶ１２−Ｖ１２断面でカットした斜視図である。
【図６】図４中のＶ１２−Ｖ１２断面を示す断面図である。
【図７】本発明の第２実施形態のヒューズユニットを示す斜視図である。
【図８】図７に示されているカバーを示す斜視図である。
【図９】図７においてハウジングからカバーが外された状態で示さていたヒューズユニットを、カバーが取り付けられた状態で示す図である。
【図１０】図７に示されている係止部の係止箇所を、図９中のＶ２−Ｖ２断面を示す断面図である。
【図１１】本発明の第３実施形態における係止部及び被係止部を示す図である。
【図１２】従来のヒューズユニットの一例を示す分解斜視図である。
【図１３】図１２に示されているヒューズユニットの斜視図である。
【図１４】図１２及び図１３に示されているカバーにおける係止部がハウジングにおける被係止部に係止した様子を、図１３中のＶ５−Ｖ５断面で示す図である。
【発明を実施するための形態】
【００２１】
本発明の一実施形態のヒューズユニットについて、以下に図を参照しつつ説明する。まず、第１実施形態のヒューズユニットについて図１〜図６を参照して説明する。図１は、本発明の第１実施形態のヒューズユニットを示す斜視図である。
【００２２】
この図１に示されているヒューズユニット１は、バッテリから供給される電力を回路に供給するためのものである。このヒューズユニット１は、閾値以上の電流が流れると溶断する金属製の４つの可溶体１１と、それらの可溶体１１を収容する樹脂製で板状のハウジング１２と、このハウジング１２を間に挟むように取り付けられる透明樹脂製の２枚のカバー１３と、を有している。図１には、２枚のカバー１３が、ハウジング１２から外された状態で、ヒューズユニット１が示されている。このヒューズユニット１は、この図１では隠れている給電端子と、バッテリからの電力で動作する回路が接続される４つの回路端子１４とを備えている。４つの回路端子１４それぞれは、各可溶体１１を介して不図示の給電端子に繋がれている。
【００２３】
ハウジング１２には、可溶体１１を収容する筒状の収容部１２１が、板状のハウジング１２を厚み方向に貫通して４つ設けられている。４つの収容部１２１は、図中の左右方向に１列に配列されている。ここで、ハウジング１２には、４つの可溶体１１と４つの回路端子１４との位置合わせのために、収容部１２１と同形状となる筒状の空きスペース１２２も設けられており、４つの収容部１２１とともに一列に配列されている。ハウジング１２における表裏の一方側に収容部１２１及び空きスペース１２２の一方側の開口１２１ａ，１２２ａが一列に並んで形成され、表裏の他方側に収容部１２１及び空きスペース１２２の他方側の開口１２１ａ，１２２ａが一列に並んで形成されている。２枚のカバー１３は、これら表裏それぞれの側の開口１２１ａ，１２２ａを塞ぐ。カバー１３は、可溶体１１が溶断したときの金属の飛散を防ぐ役割を果たす。可溶体１１の溶断は、透明樹脂製のカバー１３越しに視認される。
【００２４】
図２は、図１に示されているカバーを示す三面図である。図１及び図２に示されているように、カバー１３は、５つ並んだ開口１２１ａ，１２２ａを塞ぐ長方形板状のカバー本体１３１と、カバー本体１３１から、カバー本体１３１と交差する方向に突出してハウジング１２の内部に進入する係止部１３２と、を有している。
【００２５】
係止部１３２は、カバー本体１３１の一対の短辺それぞれに設けられている。これら２つの係止部１３２は、平面視で長方形のカバー本体１３１における対角をなす、一対の角部それぞれの近傍に位置している。これにより、２つの係止部１３２は、カバー１３を裏返したときと裏返す前とで平面視で互いに重ならい位置に設けられることとなっている。
【００２６】
本実施形態では、２枚のカバー１３のうち、図１中で表側からハウジング１２に取り付けられる一方のカバー１３ａと、裏側からハウジング１２に取り付けられる他方のカバー１３ｂとは互いに同形状のカバーである。そして、他方のカバー１３ｂは、一方のカバー１３ａと裏返しの位置関係にある。このとき、２つの係止部１３２が、上記のようにカバー１３を裏返したときと裏返す前とで平面視で互いに重ならい位置に設けられているので、ハウジング１２において係止部１３２が係止する後述の被係止部１２３が、一方のカバー１３ａの係止部１３２用と、他方のカバー１３ｂの係止部１３２用とで互いに干渉することなくズレた位置に設けられることとなっている。つまり、２枚のカバー１３を互いの表面が対向するように配置したときに互いに重ならない位置に係止部１３２が設けられている。
【００２７】
各係止部１３２は、カバー本体１３１の短辺に沿って距離を開けて別れて配列された２本のアーム部分１３２ａを有している。そして、各アーム部分１３２ａは弾性を有しており、その先端に、アーム部分１３２ａの長さ方向と交差する突出方向に向いて突出した、具体的には、もう一方のアーム部分１３２ａとは反対側、即ち、係止部１３２の外側に鉤型に突出した返し部分１３２ａ−１が設けられている。
【００２８】
そして、ハウジング１２には、各カバー１３に２つずつ、合計で４つの係止部１３２が係止する被係止部１２３が設けられている。本実施形態では、ハウジング１２において、一列に並んだ収容室１２１と空きスペース１２２とを図１における左右方向に挟む位置に、係止部１３２が進入する進入路１２４が設けられており、その進入路１２４の内部に被係止部１２３が設けられている。
【００２９】
図３は、図１に示されている係止部が係止する被係止部を、係止部が進入する進入路を通る図１中のＶ１１−Ｖ１１断面で示す図である。図３（ａ）には、ハウジング１２を図１中のＶ１１−Ｖ１１断面でカットした斜視図が示されており、図３（ｂ）には、図１中のＶ１１−Ｖ１１断面を示す断面図が示されている。
【００３０】
図３に示されている進入路１２４は、図１中で最も左側の可溶体１１の収容室１２１の開口１２１ａの更に左隣に開口している。この進入路１２４は、ハウジング１２を厚み方向に貫通している。そして、この進入路１２４には、図１に示されている２枚のカバー１３のうち図１における表側のカバー１３の係止部１３２が、その表側からの挿入方向Ｄ１１に進入し、裏側のカバー１３の係止部１３２が、その裏側からの挿入方向Ｄ１２に進入する。進入路１２４には、挿入方向Ｄ１１に進入する表側の係止部１３２が係止する被係止部１２３と、挿入方向Ｄ１２に進入する裏側の係止部１３２が係止する被係止部１２３と、の２つの被係止部１２３が設けられている。図１中で最も右側の可溶体１１の収容室１２１の開口１２１ａの更に左隣に開口している進入路１２４にも、同様に２つの被係止部１２３が設けられている。
【００３１】
各被係止部１２３は、進入路１２４の開口から、ハウジング１２の厚み方向の略中央まで延びる相互に離れた一対の壁１２３ａを有している。これら一対の壁１２３ａは、互いの間隔が、係止部１３２の挿入方向Ｄ１１，Ｄ１２について狭まっている。被係止部１２３は、これら一対の壁１２３ａの間に後述するように係止部１３２を受け入れる。また、挿入方向Ｄ１１に進入する表側の係止部１３２を受け入れる被係止部１２３と、挿入方向Ｄ１２に進入する裏側の係止部１３２を受け入れる被係止部１２３とは、図３に示されているように、長方形のカバー本体１３１の短辺方向に沿ってズレた位置に設けられている。
【００３２】
図４は、図１においてハウジングからカバーが外された状態で示さていたヒューズユニットを、カバーが取り付けられた状態で示す図である。また、図５は、図４に示されている係止部の係止箇所を、図４中のＶ１２−Ｖ１２断面でカットした斜視図であり、図６は、図４中のＶ１２−Ｖ１２断面を示す断面図である。
【００３３】
上述したようにヒューズユニット１における表側のカバー１３のカバー本体１３１から突出した係止部１３２は、ハウジング１２の進入路１２４に、表側からの挿入方向Ｄ１１に挿入され、裏側のカバー１３のカバー本体１３１から突出した係止部１３２は、裏側からの挿入方向Ｄ１２に挿入される。このとき、挿入時には、各係止部１３２における２本のアーム部分１３２ａは、各アーム部分１３２ａの先端の返し部分１３２ａ−１が、被係止部１２３における一対の壁１２３ａに当接することで、返し部分１３２ａ−１の突出方向とは逆方向に撓んで、具体的にはアーム部分１３２ａの相互の間隔が狭まるようにして被係止部１２３に受け入れられる。即ち、表側のカバー１３の係止部１３２における２本のアーム部分１３２ａそれぞれは、矢印Ｄ１３，Ｄ１４方向に撓んで被係止部１２３に受け入れられ、裏側のカバー１３の係止部１３２における２本のアーム部分１３２ａそれぞれは、矢印Ｄ１７，Ｄ１８方向に撓んで被係止部１２３に受け入れられる。
【００３４】
そして、各係止部１３２のアーム部分１３２ａは、先端の返し部分１３２ａ−１が、被係止部１２３の壁１２３ａの端部を越えたところで復位して、その端部に係止する。表側のカバー１３の係止部１３２における２本のアーム部分１３２ａそれぞれは、矢印Ｄ１５，Ｄ１６方向に復位して各先端の返し部分１３２ａ−１が被係止部１２３の壁１２３ａの端部に係止する。また、裏側のカバー１３の係止部１３２における２本のアーム部分１３２ａそれぞれは、矢印Ｄ１９，Ｄ１１０方向に復位して各先端の返し部分１３２ａ−１が被係止部１２３の壁１２３ａの端部に係止する。
【００３５】
この係止部１３２の被係止部１２３への係止により、２枚のカバー１３がハウジング１２に固定される。
【００３６】
以上に説明した第１実施形態のヒューズユニット１によれば、ハウジング１２の開口１２１ａ，１２２ａを塞ぐカバー１３に設けられた係止部１３２は、ハウジング１２の進入路１２４に進入して被係止部１２３に係止する。そして、被係止部１２３は、係止部１３２が有する２本のアーム部分１３２ａの相互の間隔を狭めるようにアーム部分１３２ａを撓ませて係止部１３２を受け入れつつ、係止完了時にはアーム部分１３２ａが復位して先端の返し部分１３２ａ−１が係止するように構成されている。係止部１３２がハウジング１２の進入路１２４に進入して被係止部１２３に受け入れられることから、係止部１３２の外部への露出が抑えられて外力の影響を受け難くなっている。このため、第１実施形態のヒューズユニット１によれば、カバー１３が外れ難くなっている。また、カバー１３の取付けの際には、係止部１３２は、返し部分１３２ａ−１の突出方向とは逆方向に撓んで被係止部に受け入れられる。このように、係止部１３２は、例えば図１２〜図１４に示されている係止部５３１のように取付けの際の係止部５３１の変形を逃がすための余分なスペースを要することがない。このように余分なスペースを要することがない分、第１実施形態のヒューズユニット１は小型化が図られている。
【００３７】
また、第１実施形態のヒューズユニット１では、被係止部１２３は、２本のアーム部分１３２ａの相互の間隔を狭めるように係止部１３２を受け入れることから、一層の小型化が図られている。
【００３８】
また、第１実施形態のヒューズユニット１では、２枚のカバー１３を互いの表面が対向するように配置したときに互いに重ならない位置に係止部１３２が設けられている。このため、本実施形態では、これら同形状の２枚のカバー１３を採用し、互いに裏返しの位置関係で配置しても、係止部１３２どうしの干渉等が回避される。第１実施形態のヒューズユニット１では、カバー１３をこのように構成することにより、製造コストの低減が図られている。
【００３９】
また、第１実施形態のヒューズユニット１によれば、係止部１３２の被係止部１２３が、ハウジング１２の進入路１２４の内部に設けられている。これにより、係止部１３２がハウジング１２内にほぼ隠されることとなり、一層外力の影響を受け難くなる。つまり、第１実施形態のヒューズユニット１によれば、カバー１３を一層外れ難くすることができる。
【００４０】
次に、第２実施形態のヒューズユニットについて図７〜図１０を参照して説明する。図７は、本発明の第２実施形態のヒューズユニットを示す斜視図である。
【００４１】
この図７に示されているヒューズユニット２も、上述した第１実施形態のヒューズユニット１と同様に、バッテリから供給される電力を回路に供給するためのものである。このヒューズユニット２は、閾値以上の電流が流れると溶断する金属製の４つの可溶体２１と、それらの可溶体２１を収容する樹脂製で板状のハウジング２２と、このハウジング２２を間に挟むように取り付けられる透明樹脂製の２枚のカバー２３と、を有している。図７には、２枚のカバー２３が、ハウジング２２から外された状態で、ヒューズユニット２が示されている。このヒューズユニット２は、第１実施形態のヒューズユニット１を示す図１では隠れていた給電端子２４を２つ備えており、バッテリからの電力で動作する回路が接続される回路端子２５を４つ備えている。４つの回路端子２５それぞれは、各可溶体２１を介して給電端子２４に繋がれている。
【００４２】
ハウジング２２には、可溶体２１を収容する筒状の収容部２２１と、可溶体２１と回路端子２５との位置合わせのための空きスペース２２２とが、図中の左右方向に１列に配列されて設けられている。２枚のカバー２３は、一列に配列された収容部２２１及び空きスペース２２２の両端の開口２２１ａ，２２２ａを塞ぐ。
【００４３】
図８は、図７に示されているカバーを示す斜視図である。図７及び図８に示されているように、カバー２３は、長方形板状のカバー本体２３１と、カバー本体２３１から、カバー本体２３１と交差する方向に突出してハウジング２２の内部に進入する係止部２３２と、を有している。
【００４４】
係止部２３２は、カバー本体２３１の一対の短辺それぞれの近傍に設けられている。これら２つの係止部２３２は、平面視で長方形のカバー本体２３１における対角をなす、一対の角部それぞれの近傍に位置している。これにより、２つの係止部２３２は、カバー２３を裏返したときと裏返す前とで平面視で互いに重ならい位置に設けられることとなっている。
【００４５】
本実施形態でも、上述した第１実施形態と同様に、２枚のカバー２３のうち、図１中で表側からハウジング２２に取り付けられる一方のカバー２３ａと、裏側からハウジング２２に取り付けられる他方のカバー２３ｂとは互いに同形状のカバーである。そして、他方のカバー２３ｂは、一方のカバー２３ａと裏返しの位置関係にある。
【００４６】
各係止部２３２は、互いに距離を開けて別れた４本のアーム部分２３２ａを有している。そして、各アーム部分２３２ａは弾性を有しており、その先端に、アーム部分２３２ａの長さ方向と交差する突出方向に向いて突出して設けられた、具体的には他のアーム部分２３２ａとは反対側に鉤型に突出した返し部分２３２ａ−１が設けられている。
【００４７】
また、ハウジング２２には、各カバー１３の各係止部２３２が進入して貫通する進入路２２３が４箇所に設けられている。
【００４８】
そして、本実施形態では、カバー２３には、カバー２３を裏返したときに裏返す前のカバー２３における係止部２３２と重なる位置に、係止部２３２の被係止部２３３が設けられている。２枚のカバー２３のうち図７中の表側に位置する一方のカバー２３ａの係止部２３２が、ハウジング２２の進入路２２３を貫通して、裏側に位置する他方のカバー２３ｂに設けられた被係止部２３３に係止する。また、他方のカバー２３ｂの係止部２３２が、ハウジング２２の進入路２２３を貫通して、一方のカバー２３ａに設けられた被係止部２３３に係止する。
【００４９】
図９は、図７においてハウジングからカバーが外された状態で示さていたヒューズユニットを、カバーが取り付けられた状態で示す図である。また、図１０は、図７に示されている係止部の係止箇所を、図９中のＶ２−Ｖ２断面を示す断面図である。
【００５０】
図７〜１０のヒューズユニット２で表側のカバー２３のカバー本体２３１から突出した係止部２３２は、ハウジング２２の進入路２２３に、表側からの挿入方向Ｄ２１に挿入される。そして、裏側のカバー２３のカバー本体２３１から突出した係止部２３２は、裏側からの挿入方向Ｄ２２に挿入される。このとき、本実施形態では、ハウジング２２の進入路２２３は、その内径が、係止部２３２における、４本のアーム部分２３２ａの先端の返し部分２３２ａ−１からなる円錐台の径と略同等となるように形成されている。そして、カバー２３に設けられる被係止部２３３は、ハウジング２２の進入路２２３に連通する貫通孔で、図１０において拡大図で示されているように、その内径が上記の円錐台の径よりも狭い狭径部２３３ａと、ハウジング２２の進入路２２３と略同径の広径部２３３ｂとからなる段付き孔となっている。狭径部２３３ａがハウジング２２側に位置している。
【００５１】
係止部２３２の先端の円錐台が反対側のカバー２３の被係止部２３３に進入するときに、係止部２３２における４本のアーム部分２３２ａは、各アーム部分２３２ａの先端の返し部分２３２ａ−１が狭径部２３３ａの内壁面に当接することで、アーム部分２３２ａの相互の間隔が狭まるようにして被係止部１２３に受け入れられる。即ち、４本のアーム部分２３２ａそれぞれは、図１０の拡大図に矢印Ｄ２３，Ｄ２４で示されているように、返し部分２３２ａ−１の突出方向とは逆方向に撓んで被係止部１２３の狭径部２３３ａに受け入れられる。
【００５２】
そして、各係止部２３２のアーム部分２３２ａは、先端の返し部分２３２ａ−１が、被係止部１２３の狭径部２３３ａを抜けたところで、矢印Ｄ２５，Ｄ２６で示されているように復位して、狭径部２３３ａと広径部２３３ｂとの境界の段部に係止する。
【００５３】
この係止部２３２の被係止部２３３への係止により、２枚のカバー２３がハウジング２２に固定される。
【００５４】
以上に説明した第２実施形態のヒューズユニット２も、上述した第１実施形態のヒューズユニット１と同様に、カバー２３が外れ難く、かつ、小型化が図られたヒューズユニットであることはいうまでもない。また、互いに同じ形状の２枚のカバー２３でハウジング２２の開口２２１ａ，２２２ａを塞いで製造コストの低減を図ることができる点も、第１実施形態のヒューズユニット１と同様である。
【００５５】
さらに、第２実施形態のヒューズユニット２よれば、カバー２３に、そのカバー２３に対向配置されるもう一枚のカバー２３の係止部２３２のための被係止部２３３が設けられている。これにより、複雑な構造となりがちなハウジング２２の構造の簡単化を図ることで製造コストの一層の低減が図られている。
【００５６】
次に、第３実施形態のヒューズユニットについて説明する。第３実施形態のヒューズユニットは、上述した第１実施形態のヒューズユニット１の変形例であり、カバーにおける係止部と、その係止部が係止する被係止部が、第１実施形態とは異なっている。以下、第３実施形態のヒューズユニットについて、図１１を参照し、第１実施形態との相違点である係止部と被係止部に注目して説明を行い、共通点について図示や説明を割愛する。
【００５７】
図１１は、本発明の第３実施形態における係止部及び被係止部を示す図である。図１１（ａ）には係止前の状態が示されており、図１１（ｂ）には係止後の状態が示されている。
【００５８】
この図１１に示されているヒューズユニット３の係止部３１２も、カバー３１のカバー本体３１１から、カバー本体３１１１と交差する方向に突出してハウジング３２の内部に進入する。係止部３１２は、互いに距離を開けて設けられて各々が弾性を有する２本のアーム部分３１２ａを有している。そして、本実施形態では、各アーム部分３１２ａの先端に、もう一方のアーム部分３１２ａ側、即ち、係止部３１２の内側に鉤型に突出した返し部分３１２ａ−１が設けられている。そして、ハウジング３２には、この係止部３１２が係止する被係止部３２１が設けられている。被係止部３２１は、その先端が矢印形状を有している。
【００５９】
図１１に示されているように、係止部３１２が、矢印Ｄ３１方向に進入すると、各アーム部分３１２ａの返し部分３１２ａ−１が、被係止部３２１における矢印形状の先端に当接する。これにより、２本のアーム部分３１２ａそれぞれは、矢印Ｄ３２，Ｄ３３方向、即ち、アーム部分３１２ａの相互の間隔が広がるように、返し部分３１２ａ−１の突出方向とは逆方向に撓む。そして、アーム部分３１２ａは、先端の返し部分３１２ａ−１が、被係止部３２１の先端を越えたところで復位して、その先端に係止する。
【００６０】
以上に説明した係止部３１２及び被係止部３２１を有する第３実施形態のヒューズユニット３も、上述した第１実施形態と同様に、カバー３１が外れ難く、かつ、小型化が図られたヒューズユニットであることはいうまでもない。
【００６１】
尚、以上に説明した実施形態は本発明の代表的な形態を示したに過ぎず、本発明は、これらの実施形態に限定されるものではない。即ち、本発明の骨子を逸脱しない範囲で種々変形して実施することができる。かかる変形によってもなお本発明のヒューズユニットの構成を具備する限り、勿論、本発明の範疇に含まれるものである。
【００６２】
例えば、上述した３つの実施形態では、いずれも、本発明にいうハウジングの一例として、可溶体１１，２１を１つずつ収容する４つの収容室１２１，２２１と空きスペース１２２，２２２とが一列に配列されたハウジング１２，２２，３２が例示されている。しかしながら、本発明にいうハウジングは、これに限るものではなく、収容室の数や空きスペースの有無等は問うものではない。
【００６３】
また、上述した３つの実施形態では、いずれも、本発明にいうヒューズユニットの一例として、ハウジング１２，２２，３２に２枚のカバー１３，２３，３１が取り付けられたヒューズユニット１，２，３が例示されている。しかしながら、本発明にいうヒューズユニットはこれに限るものではなく、例えば、ハウジングに１枚のカバーのみが取り付けられたものであってもよい。この場合、係止部の被係止部の設置場所はハウジングの内部となる。
【００６４】
また、上述した３つの実施形態では、いずれも、本発明にいうヒューズユニットの一例として、互いに裏返しの位置関係にある同形状の２枚のカバー１３，２３，３１がハウジング１２，２２，３２に取り付けられたヒューズユニット１，２，３が例示されている。しかしながら、本発明にいうヒューズユニットはこれに限るものではなく、例えば、互いに異なる形状の２枚のカバーがハウジングに取り付けられたものであってもよい。
【００６５】
また、上述した第１及び第３実施形態では、本発明にいうヒューズユニットの一例として、２枚のカバー１３，３１の係止部１３２，３１２の被係止部１２３，３２１が全てハウジング１２，３２の内部に設けられたヒューズユニット１，３が例示されている。また、上述した第２実施形態では、本発明にいうヒューズユニットの一例として、２枚のカバー２３の係止部２３２の被係止部２３３が全てカバー２３に設けられたヒューズユニット２が例示されている。しかしながら、本発明にいうヒューズユニットはこれらに限るものではなく、例えば、１枚のカバーの係止部の被係止部が、ハウジングと他方のカバーの一方に設けられ、もう１枚のカバーの係止部の被係止部が、ハウジングと他方のカバーの他方に設けられたもの等であってもよい。
【符号の説明】
【００６６】
１，２，３      ヒューズユニット
１１，２１    可溶体
１２，２２，３２    ハウジング
１３，２３，３１  カバー
１３ａ，２３ａ  一方のカバー
１３ｂ、２３ｂ  他方のカバー
１２１，２２１  収容室
１２１ａ，２２１ａ  開口
１２３，２３３，３２１  被係止部
１２４，２２３  進入路
１３１，２３１  カバー本体
１３２，２３２，３１２  係止部
１３２ａ，２３２ａ，３１２ａ  アーム部分
１３２ａ−１，２３２ａ−１，３１２ａ−１  返し部分
【図１】
2017004650.tif 000003
【図２】
2017004650.tif 000004
【図３】
2017004650.tif 000005
【図４】
2017004650.tif 000006
【図５】
2017004650.tif 000007
【図６】
2017004650.tif 000008
【図７】
2017004650.tif 000009
【図８】
2017004650.tif 000010
【図９】
2017004650.tif 000011
【図１０】
2017004650.tif 000012
【図１１】
2017004650.tif 000013
【図１２】
2017004650.tif 000014
【図１３】
2017004650.tif 000015
【図１４】
2017004650.tif 000016